【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
用紙に画像を形成する画像形成手段と、
同手段により画像が形成された用紙を揃える用紙揃部と、
同用紙揃部にて揃えられた用紙束の一端部を綴じる第１綴手段と、
同用紙揃部にて揃えられた用紙束における前記一端部とは異なる端部を綴じる第２綴手段と、
第１綴手段と第２綴手段の何れを用いて用紙束を綴じるかに応じて、用紙上に形成する画像の向きを回転させる画像回転手段とを備えたことを特徴とする画像形成システム。
【請求項２】
前記一端部とは異なる端部は、前記用紙束における前記一端部と対向する端部であり、
前記画像回転手段は、前記第２綴手段を用いて綴じる際に、前記第１綴手段を用いて綴じる際と比べて、前記画像形成手段が前記用紙束を構成するそれぞれの用紙上に形成する画像の向きを１８０度回転させることを特徴とする請求項１に記載の画像形成システム。
【請求項３】
前記第２綴手段は、前記用紙束の搬送方向における前記用紙揃部の下流側に配置され、かつ当該搬送方向及び／又は当該搬送方向に交差する方向に進退可能に構成されていることを特徴とする請求項２に記載の画像形成システム。
【請求項４】
前記一端部とは異なる端部は、前記用紙束における前記一端部に隣接する端部であり、
前記画像回転手段は、前記第２綴手段を用いて綴じる際に、前記第１綴手段を用いて綴じる際と比べて、前記画像形成手段が前記用紙束を構成するそれぞれの用紙上に形成する画像の向きを９０度回転させることを特徴とする請求項１に記載の画像形成システム。
【請求項５】
前記第２綴手段は、前記用紙束の搬送方向における側方に配置され、かつ当該搬送方向に交差する方向に進退可能に構成されていることを特徴とする請求項４に記載の画像形成システム。
【請求項６】
装置筐体から排出される前記用紙束を積載する用紙束積載部を更に備え、
前記第２綴手段は、前記用紙束積載部の上方に配置されていることを特徴とする請求項１乃至５のいずれかに記載の画像形成システム。
【請求項７】
前記用紙揃部から前記第２綴手段又は前記用紙束積載部に向けて前記用紙束を搬送する搬送手段と、
前記第２綴手段を用いて綴じるときに、前記搬送手段により前記第２綴手段に向けて搬送される前記用紙束の両端部より内側にて当該用紙束を支持する支持手段とを更に備え、
前記支持手段は、前記第２綴手段を用いて綴じられた後で、前記用紙束の前記両端部よりも外側に移動して、当該用紙束を前記用紙束積載部に向けて落下させることを特徴とする請求項６に記載の画像形成システム。
【請求項８】
前記搬送手段は、前記第２綴手段を用いて綴じるときに、前記用紙束が排出されるときの搬送方向である排出方向における下流側へ前記第２綴手段に向けて当該用紙束を搬送し、当該第２綴手段を用いて綴じられた後で当該用紙束を当該排出方向の上流側へ予め定めた距離引き戻し、引き戻された当該用紙束を前記用紙束積載部に向けて再度当該下流側へ搬送することを特徴とする請求項７に記載の画像形成システム。
【請求項９】
前記第１綴手段は、前記用紙束にステープル針を貫通させることにより当該用紙束を綴じ、
前記第２綴手段は、前記用紙束を構成する複数の前記用紙の重なり方向に跨った凹凸を形成することにより当該用紙束を綴じることを特徴とする請求項１乃至８のいずれかに記載の画像形成システム。
【請求項１０】
画像形成装置により、第１画像方向に画像が形成された用紙、又は第１画像方向を所定角度回転させた第２画像方向に画像が形成された用紙を集積して揃える用紙揃部と、
第１画像方向の画像を有し、前記用紙揃部にて揃えられた用紙束における一端を綴じる第１綴手段と、
第２画像方向の画像を有し、前記用紙揃部にて揃えられた用紙束における前記一端とは異なる端部を綴じる第２綴手段とを備えたことを特徴とする用紙処理装置。
【手続補正２】
【補正対象書類名】明細書
【補正対象項目名】０００５
【補正方法】変更
【補正の内容】
【０００５】
請求項１に記載の発明は、用紙に画像を形成する画像形成手段と、同手段により画像が形成された用紙を揃える用紙揃部と、同用紙揃部にて揃えられた用紙束の一端部を綴じる第１綴手段と、同用紙揃部にて揃えられた用紙束における前記一端部とは異なる端部を綴じる第２綴手段と、第１綴手段と第２綴手段の何れを用いて用紙束を綴じるかに応じて、用紙上に形成する画像の向きを回転させる画像回転手段とを備えたことを特徴とする画像形成システムである。
請求項２に記載の発明は、前記一端部とは異なる端部は、前記用紙束における前記一端部と対向する端部であり、前記画像回転手段は、前記第２綴手段を用いて綴じる際に、前記第１綴手段を用いて綴じる際と比べて、前記画像形成手段が前記用紙束を構成するそれぞれの用紙上に形成する画像の向きを１８０度回転させることを特徴とする請求項１に記載の画像形成システムである。
請求項３に記載の発明は、前記第２綴手段は、前記用紙束の搬送方向における前記用紙揃部の下流側に配置され、かつ当該搬送方向及び／又は当該搬送方向に交差する方向に進退可能に構成されていることを特徴とする請求項２に記載の画像形成システムである。
請求項４に記載の発明は、前記一端部とは異なる端部は、前記用紙束における前記一端部に隣接する端部であり、前記画像回転手段は、前記第２綴手段を用いて綴じる際に、前記第１綴手段を用いて綴じる際と比べて、前記画像形成手段が前記用紙束を構成するそれぞれの用紙上に形成する画像の向きを９０度回転させることを特徴とする請求項１に記載の画像形成システムである。
請求項５に記載の発明は、前記第２綴手段は、前記用紙束の搬送方向における側方に配置され、かつ当該搬送方向に交差する方向に進退可能に構成されていることを特徴とする請求項４に記載の画像形成システムである。
請求項６に記載の発明は、装置筐体から排出される前記用紙束を積載する用紙束積載部を更に備え、前記第２綴手段は、前記用紙束積載部の上方に配置されていることを特徴とする請求項１乃至５のいずれかに記載の画像形成システムである。
請求項７に記載の発明は、前記用紙揃部から前記第２綴手段又は前記用紙束積載部に向けて前記用紙束を搬送する搬送手段と、前記第２綴手段を用いて綴じるときに、前記搬送手段により前記第２綴手段に向けて搬送される前記用紙束の両端部より内側にて当該用紙束を支持する支持手段とを更に備え、前記支持手段は、前記第２綴手段を用いて綴じられた後で、前記用紙束の前記両端部よりも外側に移動して、当該用紙束を前記用紙束積載部に向けて落下させることを特徴とする請求項６に記載の画像形成システムである。
請求項８に記載の発明は、前記搬送手段は、前記第２綴手段を用いて綴じるときに、前記用紙束が排出されるときの搬送方向である排出方向における下流側へ前記第２綴手段に向けて当該用紙束を搬送し、当該第２綴手段を用いて綴じられた後で当該用紙束を当該排出方向の上流側へ予め定めた距離引き戻し、引き戻された当該用紙束を前記用紙束積載部に向けて再度当該下流側へ搬送することを特徴とする請求項７に記載の画像形成システムである。
請求項９に記載の発明は、前記第１綴手段は、前記用紙束にステープル針を貫通させることにより当該用紙束を綴じ、前記第２綴手段は、前記用紙束を構成する複数の前記用紙の重なり方向に跨った凹凸を形成することにより当該用紙束を綴じることを特徴とする請求項１乃至８のいずれかに記載の画像形成システムである。
請求項１０に記載の発明は、画像形成装置により、第１画像方向に画像が形成された用紙、又は第１画像方向を所定角度回転させた第２画像方向に画像が形成された用紙を集積して揃える用紙揃部と、第１画像方向の画像を有し、前記用紙揃部にて揃えられた用紙束における一端を綴じる第１綴手段と、第２画像方向の画像を有し、前記用紙揃部にて揃えられた用紙束における前記一端とは異なる端部を綴じる第２綴手段とを備えたことを特徴とする用紙処理装置である。